(57)【特許請求の範囲】
【請求項１】
横方向に使う無目型材（５）に、ガラス受け板（10）を屋外側に突出して取り付け、このガラス受け板に、屋外側にガラス（３´）を取り付けた押し縁（６）を、更に取り付けて形成した無目（２）と、縦方向に使う方立型材（４）で形成した方立（１）とでガラス枠を構成し、押し縁の屋内側にガラス（３）を嵌め込んで、無目方向を接着剤で固定し、方立方向は方立型材（４）の屋外側の個所で、ガラスとガラスを付き合わせて、接着剤で固定して構成した事を特徴とするカーテンウォール。
【請求項２】
横方向に使う無目型材（５´）に、ガラス受け板（10´）を屋外側に突出して取り付け、このガラス受け板に、屋外側にガラス（３´）を取り付けた押し縁（６）を、更に取り付けて形成した無目（２）と、縦方向に使う方立型材（４´）で形成した方立の屋外側に方立ガラス（１５）を取付けた方立（１）とでガラス枠を構成し、押し縁の屋内側にガラス（３）を嵌め込んで、無目方向を接着剤で固定し、方立方向は方立型材（４´）に取付けた方立ガラスの個所で、ガラスどうしをＴ字型に付き合わせて、接着剤で固定して構成した事を特徴とする、請求項１記載のカーテンウォール。
【発明の詳細な説明】
【０００１】
【発明が属する技術分野】
本発明は、建物の壁面を、多くのガラスを表面に出して構成した、カーテンウォールに関するものでる。
【０００２】
【従来の技術】
従来のカーテンウォールは、図５に示す如く、枠の中に縦方向に方立（１´）と、横方向に無目（２´）を取り付けて、複数のガラス枠を形成してガラス（３）を嵌め込んでいる。そして各ガラス枠は、図６のＸ−Ｘ´横断面図、図７のＹ−Ｙ´縦断面図に示す如く、ガラス（３）の上下を無目に、左右を方立に夫々嵌め込んいる。この為カーテンウォールの外観は、図５に示す如く、方立と無目の幅が、縦横に大きく表れていた。
【０００３】
【発明が解決しようとする課題】
そこで方立と無目の幅を狭くして、全面がガラスである様に見えるデザインが望まれる様になった。しかし幅を狭くする事は、ガラスの脱落防止の為、掛かりが必要な事と、ガラスを嵌め込む為に余裕が要る事の為に、これ以上狭くする事は難しかった。従って新たに別な方法により、ガラスとガラスの間に存在する型材の幅を、従来よりずっと狭くして、全面がガラスである様に見えるカーテンウォールの実現を目指した。
【０００４】
【課題を解決するための手段】
そこで先ず縦の型材は、図２に示す如く、同じ方立型材（４）２個を、対象に結合して方立（１）を形成する事とした。次ぎに横の型材は、図３に示す如く、同じ無目型材（５）２個を、対象に結合して、無目（２）を形成する事とした
【０００５】
そしてこの時、図４に示す如く、この無目（２）に押し縁（６）を取り付ける事にした。この押し縁は屋外側（７）の上下に、ガラスを止める折り曲げ部分（６´）があり、この間にガラス（３´）を挿入出来るようになっている。そして更に裏側には爪（８）が付いている。
【０００６】
ここで無目（２）には、無目型材（５）を結合する際、間に押し縁の爪を止める、爪受け（９）が付いているガラス受け板（10）を、予め挟み込んで止めている。従って押し縁を無目に取り付けるには、押し縁の爪を、ガラス受け板の爪受けに押し込むだけで、簡単に取り付けられるようになっている。そして押し縁には予めガラス（３´）を挿入して、接着剤（１２´）で止めておく。
【０００７】
そこでガラス枠の製作について説明する。先ず方立と無目を、縦横に結合して枠を形成する。そして押し縁を無目に取り付ければ、ガラスを取り付けるガラス枠が出来上がる。
【０００８】
次ぎにガラス枠の中に、ガラスを取り付ける方法を説明すると、先ず図３に示す如く、この押し縁（６）は、上の無目型材（５）の屋外側に設けたフィン（１１）と、下の無目型材（５）の同じフィンと（１１）の間に、ガラスを嵌め込む溝を形成している。従ってこの溝に、ガラス（３）を挿入して接着材（12）で止めればよい。次にガラスを方立に止めるのは、図２に示す如く、方立（１）の屋外側の個所でガラス（３）とガラスを付き合せて、間を接着材（12）で止める。
【０００９】
このようにしてカーテンウォールを形成すると、外観は図１に示す如くなり、縦方向のガラスとガラスを接合した縦方向のラインは、極めて細く表れ、横方向に押し縁のラインが表れる。この縦横のラインは大きい建物においては、何れもあまり目立たない程に細くなる。
【００１０】
この場合、押し縁に挿入するガラスは、熱線反射ガラスを使用する事としているが、この外鏡のように反射するステンレスの板等を使用してもよい。この場合横方向の押し縁は、上下のガラスを止める折り曲げ部分（６´）の幅10mm程度の、２本の線のみ表れる。しかしカーテンウォールの表面に使用するガラスは、一般的な透明ガラスを使用する場合と、熱線反射ガラスを使用する場合により、外観が変わって見える。
【００１１】
先ず透明ガラスを使用した場合は、縦方向のガラス接合部は、裏の型材が透けて見えるようになる。このように透明ガラスを使用した場合は、縦のラインがやや広く見える。
【００１２】
次ぎに熱線反射ガラスを使用した場合は、次ぎに縦方向のガラスの接合部は、ガラスとガラスの間の隙間のみが表れるが、この隙間は、通常6〜8mm程度である。このように熱線反射ガラスを使用した場合は、縦方向に6〜8mmの線が、横方向に２本の10mmの線が見えるだけになって、建物全体を見た場合、これらの線は殆ど見えなくなり、全面がガラスのように見える。
【００１３】
【発明の実施の形態】
先ず請求項１に基づく第一実施例について説明する。これまで説明した如く、本発明のカーテンウォールは次ぎのようにして構築する。先ず縦の型材は、図２に示す如く、同じ方立型材（４）２個を、対象に結合して方立（１）を構成し、次ぎに横の型材は、図３に示す如く、同じ無目型材（５）２個を、間にガラス受け板（１０）を挟んで対象に結合し、無目（２）を構成する。更に図４に示す如く、予めガラス（３´）を挿入した押し縁（６）を用意する。
【００１４】
そこで建物のカーテンウォールを取り付ける枠の中に、方立と無目を縦横に結合し、押し縁を無目に取り付けてガラス枠を構成する。次ぎにこのガラス枠にガラスを嵌め込んで接着剤で取り付ければ出来上がる。このようにして形成したカーテンウォールを、屋内側から見ると図１０に示す如き物になる。
【００１５】
次ぎに請求項２に基づく第二実施例について説明する。先ず縦の型材は図８に示す如く、同じ方立型材（４´）２個を、対象に結合して、屋外側に挿入部（１４）を有する方立（１）を構成する。そしてこの挿入部に細長い方立ガラス（１５）を挿入する。本実施例では方立ガラスの挿入部両面にアルミの角パイプ（１６）を接着した方立ガラスを挿入し、ビス止めしている。
【００１６】
次ぎに横の型材は図９に示す如く、同じ無目型材（５´）２個を、対象に結合して無目（２）を構成するする際、ガラス受け板（１０´）を挟み込んで結合している。これに押し縁（６）を取付けるのはこれまでと同じである。このようにして形成したカーテンウォールを、屋内側から見ると図１１に示す如き物になる
【００１７】
この第二実施例は、無目（２）が厚い板状の形状をしていたが、これを角状にした第三実施例を図１２に示す。この場合は、無目（２ａ）を角状にし、方立の屋外側に取り付けている以外は、第二実施例と同じである
【００１８】
この第二実施例、第三実施例は、第一実施例とは異なり、方立型材が表面のガラスより離れた位置にある。従って屋外側から見ると、方立型材が見え難くなり、全面がより一層ガラスに見えるようになる特徴がある。次ぎに表面のガラスは方立ガラス（１５）とＴ字形に接合している。このＴ字形接合方式は、既に市場に多く見られる物と同じであり、表面ガラスの縦方向の固定がより一層強化される。
従ってこの場合はガラスの厚みを薄くする事が出来る特徴がある。
【００１９】
ここでカーテンウォールについて述べると、近年になって方立の部分は、ガラスとガラスを付き合わせて狭くする工法が表れるようになったが、それでも無目を狭くする事は依然として出来ていない。
本発明のカーテンウォールの押し縁は、従来の無目より、更に狭くする事が出来るので、これだけでも優れたカーテンウォールと言えるが、使用するガラスを熱線反射ガラスに変え、押し縁に熱線反射ガラスを入れると、殆ど横のラインが見えなくなるという、更に優れた特徴がある。
【００２０】
【発明の効果】
このように本発明は、従来のカーテンウォールは、ガラスを嵌め込む方立、無目の型材の幅が大きく表れていたが、本発明のカーテンウォールは、押し縁を使ってガラスを止めるようにした為、特に熱線反射ガラスを使用した場合は、殆ど全面がガラスであるように見えるカーテンウォールが実現した。
【図面の簡単な説明】
【図１】本発明カーテンウォールの正面図。
【図２】本発明請求項１に基づく図１のＸ−Ｘ´断面図。
【図３】本発明請求項１に基づく図１のＹ−Ｙ´断面図。
【図４】図３の押し縁部分の拡大図。
【図５】従来のカーテンウォールの正面図。
【図６】図５のＸ−Ｘ´断面図。
【図７】図５のＹ−Ｙ´断面図。
【図８】本発明請求項２に基づく図１のＸ−Ｘ´断面図。
【図９】本発明請求項２に基づく図１のＹ−Ｙ´断面図。
【図１０】本発明請求項１に基づくカーテンウォール第一実施例の斜視図。
【図１１】本発明請求項２に基づくカーテンウォール第二実施例の斜視図。
【図１２】本発明請求項２に基づくカーテンウォール第三実施例の斜視図。
【符号の説明】
１、１´、１´´      方立
２、２´、２´´、２a  無目
３、３´              ガラス
４、４´              方立型材
５、５´              無目型材
６                    押し縁
６´                  折り曲げ部分
７                    屋外側
８                    爪
９                    爪受け
１０、１０´          ガラス受け板
１１                  フィン
１２、１２´          接着剤
１３                  屋内側
１４                  挿入部
１５                  方立ガラス
【図１】
0003786360.tif 000002
【図２】
0003786360.tif 000003
【図３】
0003786360.tif 000004
【図４】
0003786360.tif 000005
【図５】
0003786360.tif 000006
【図６】
0003786360.tif 000007
【図７】
0003786360.tif 000008
【図８】
0003786360.tif 000009
【図９】
0003786360.tif 000010
【図１０】
0003786360.tif 000011
【図１１】
0003786360.tif 000012
【図１２】
0003786360.tif 000013